(57)【要約】注射ペンのような注射器に装着可能なアセンブリーであって、注射器の針を見えなくする。このアセンブリーはベーススリーブ上にスライド可能に装着された引っ込め得るカバーを備え、ベーススリーブは注射器に取り外し可能に接続されている。カバーおよびベーススリーブの間のばねがカバーを前方位置へ付勢し、そこでカバーは軸方向固定の針を囲みかつ隠蔽する。
2004528939.tif 000002
【特許請求の範囲】
【請求項１】
注射器の前方端部から軸方向前方へ突出している針を有する携帯注射器のための針隠蔽アセンブリーであって、針は注射器の薬剤充満カートリッジと連通しており、針隠蔽アセンブリーは：
注射器に取り外し可能に接続されているベーススリーブと；
上記ベーススリーブ上にスライド可能に保持されて前方および後方位置の間で軸方向に可動の針カバーであって、上記針カバーは上記前方位置では針の少なくとも前方部分を囲み、上記針カバーは針収容開口を限定する前方面を備えその開口を通して上記針カバーが上記前方位置から上記後方位置へシフトされた時に針が突出し、上記針カバーが上記後方位置へ配置された時に上記前方面から前方へ突出する針のある長さは注射のために露出される、針カバーと；
上記ベーススリーブおよび上記針カバーの間に作用して上記針カバーを上記後方位置から上記前方位置へ付勢する付勢要素と；および
上記ベーススリーブに対して取り外し可能に連結されかつ上記針カバーを収容する内側中空部を限定するキャップであって、上記キャップおよび針カバーは上記キャップの上記ベーススリーブへの接続が上記針カバーを上記付勢要素による戻し力に抗して上記前方位置から上記後方位置へシフトするように構成されている、キャップとを包含している、針隠蔽アセンブリー。
【請求項２】
上記ベーススリーブが注射器前方端部近傍にある注射器の前方部分を囲んでいる、請求項１の針隠蔽アセンブリー。
【請求項３】
上記ベーススリーブが注射器のカートリッジの長さの少なくとも大部分に沿い軸方向に延びている、請求項２の針隠蔽アセンブリー。
【請求項４】
上記付勢要素が圧縮ばねを包含している、請求項１の針隠蔽アセンブリー。
【請求項５】
上記キャップが上記針カバーの上記前方面に衝合する半径方向内方突出停止部材を備えてキャップを上記ベーススリーブへ接続する間に上記前方位置から後方位置へシフトさせるようにした、請求項１の針隠蔽アセンブリー。
【請求項６】
上記停止部材が少なくとも１個のキャップリブの後方面を包含している、請求項５の針隠蔽アセンブリー。
【請求項７】
上記針カバーが上記ベーススリーブの複数の外方突出タングにより上記ベーススリーブ上にスライド可能に保持されており、上記タングは上記針カバーの内方突出停止タブと噛み合う、請求項１の針隠蔽アセンブリー。
【請求項８】
上記針カバーの上記前方面は上記針収容開口の半径方向外側に配置された複数のタング収容孔を限定し、上記針カバーが上記後方位置に配置された時に上記タングが上記タング収容孔内にフィットする、請求項７の針隠蔽アセンブリー。
【請求項９】
上記針カバーの上記前方面が第１領域および第２領域を包含し、上記第１領域は上記針収容開口を取り囲みかつ上記針収容開口と上記第２領域の間を占め、かつ上記第１領域は上記第２領域から後方へ凹入して針露出長さを増すために凹入部を形成する、請求項１の針隠蔽アセンブリー。
【請求項１０】
上記前方面の上記第１領域は概ね半球状であり、かつ上記前方面の上記第２領域は環状でありかつ概ね平坦である、請求項９の針隠蔽アセンブリー。
【請求項１１】
上記キャップは上記ベーススリーブに対して上記キャップおよび上記ベーススリーブのひとつ内の少なくとも１個のデテントにより接続可能であり、上記デテントは上記キャップおよび上記ベーススリーブの他方内の環状溝内にフィットする、請求項１の針隠蔽アセンブリー。
【請求項１２】
上記ベーススリーブがカートリッジ内の薬剤を見るための少なくとも１個の窓を包含している、請求項１の針隠蔽アセンブリー。
【請求項１３】
上記少なくとも１個の窓がカートリッジ内の薬剤残量計測をユーザーに許容するマークを有する透視要素により覆われている、請求項１２の針隠蔽アセンブリー。
【請求項１４】
注射ペンの前方端部から軸方向前方へ突出している針を有する注射ペンのための針隠蔽アセンブリーであって、針は注射ペンの薬剤充満カートリッジと連通しており、針隠蔽アセンブリーは：
注射ペンに取り外し可能に接続されているベーススリーブと；
上記ベーススリーブ上にスライド可能に保持されて前方位置および後方位置の間で軸方向に可動の針カバーであって、上記針カバーは上記前方位置では針の少なくとも前方部分を囲み、上記針カバーは針収容開口を限定する前方面を備えその開口を通して上記針カバーが上記前方位置から上記後方位置へシフトされた時に針が突出し、上記針カバーが上記後方位置へ配置された時に上記前方面から前方へ突出する針のある長さが注射のために露出される、針カバーと；
上記ベーススリーブおよび上記針カバーの間に作用して上記針カバーを上記後方位置から上記前方位置へ付勢する付勢要素とを包含し；かつ
上記針カバーの上記前方面が第１領域および第２領域を包含し、上記第１領域は上記針収容開口を取り囲みかつ上記針収容開口と上記第２領域の間を占め、かつ上記第１領域は上記第２領域から後方へ凹入して針露出長さを増すための凹入度を限定する、針隠蔽アセンブリー。
【請求項１５】
上記前方面の上記第１領域は概ね半球状である、請求項１４の針隠蔽アセンブリー。
【請求項１６】
上記前方面の上記第２領域は環状でありかつ概ね平坦である、請求項１４の針隠蔽アセンブリー。
【請求項１７】
上記針カバーが上記ベーススリーブの複数の外方突出タングにより上記ベーススリーブ上にスライド可能に保持されている、請求項１４の針隠蔽アセンブリー。
【請求項１８】
上記針カバーの上記前方面は上記針収容開口の半径方向外側に配置された複数のタング収容孔を限定し、上記針カバーが上記後方位置に配置された時に上記タングが上記タング収容孔内にフィットする、請求項１７の針隠蔽アセンブリー。
【発明の詳細な説明】
【技術分野】
【０００１】
本発明は注射ペンのような薬剤注射器具に関し、かつ、特に、使用しない時に注射ペンの針をカバーするアセンブリーに関する。
【背景技術】
【０００２】
糖尿病のような病気にかかっている患者はしばしばインシュリン溶液のような薬剤を彼ら自身で注射しなければならない。人に便利かつ正確な薬剤の適正服用量の自己管理を許容するためには、注射ペンとして広く知られている各種の器具が開発されてきた。
【０００３】
針付き注射ペンのひとつの問題はあるユーザー、特に子供が、注射工程の前および作業中に注射針を見ることにより精神的外傷を受け得ることである。米国特許第５８７３８５６号内に開示されているように針の貫通深さを制御するように設計されたある器具は、スライド可能なカバーを持ち、そのカバーは針を使用されないときには隠し、かつ使用中に注射場所でユーザーの皮膚への接触により選択された距離だけ引っ込む。針を隠すことは有益ではあるが、そのような器具は不具合がないことはない。ひとつには、貫通深さ制御の特徴を達成するためには、それらの器具は構造が比較的に複雑である。更に、かつ器具を注射ペンに装着するような間に、露出したスライドカバーを動かす不注意な接触が望まない針刺し事故を起こし得る。
【０００４】
従って、これらのおよびその他の従来技術の不具合を克服する装置の提供が望まれている。
【０００５】
（発明の概略）
それらの１形態において、本発明は注射器の前方端部から軸方向前方へ突出している針を有する携帯注射器のための針隠蔽アセンブリーであって、針が注射器の薬剤充満カートリッジと連通している針隠蔽アセンブリーを提供する。この針隠蔽アセンブリーは、注射器に取り外し可能に接続されているベーススリーブと、ベーススリーブ上にスライド可能に保持されて前方位置および後方位置の間で軸方向に可動の針カバーであって、上記針カバーは上記前方位置では針の少なくとも前方部分を囲み、上記針カバーは針収容開口を限定する前方面を備えその開口を通して上記針カバーが上記前方位置から上記後方位置へシフトされた時に針が突出し、上記針カバーが上記後方位置へ配置された時に上記前方面から前方へ突出する針のある長さは注射のために露出される長さである針カバーと、上記ベーススリーブおよび上記針カバーの間に作用して上記針カバーを上記後方位置から上記前方位置へ付勢する付勢要素と、および上記ベーススリーブに対して取り外し可能に連結されかつ上記針カバーを収容する内側中空部を限定するキャップであって、上記キャップおよび針カバーは上記キャップの上記ベーススリーブへの接続が上記針カバーを上記付勢要素による戻し力に抗して上記前方位置から上記後方位置へシフトするように構成されている。
【０００６】
その別の形態においては、本発明は注射ペンの前方端部から軸方向前方へ突出している針を有する注射ペンのための針隠蔽アセンブリーであって、針は注射ペンの薬剤充満カートリッジと連通している針隠蔽アセンブリーを提供する。この針隠蔽アセンブリーは注射ペンに取り外し可能に接続されているベーススリーブと、上記ベーススリーブ上にスライド可能に保持されて前方位置および後方位置の間で軸方向に可動の針カバーであって、上記針カバーは上記前方位置では針の少なくとも前方部分を囲み、上記針カバーは針収容開口を限定する前方面を備えその開口を通して上記針カバーが上記前方位置から上記後方位置へシフトされた時に針が突出し、上記針カバーが上記後方位置へ配置された時に上記前方面から前方へ突出する針のある長さは注射のために露出される長さである針カバーと、
上記ベーススリーブおよび上記針カバーの間に作用して上記針カバーを上記後方位置から上記前方位置へ付勢する付勢要素とを包含し、かつ上記針カバーの上記前方面が第１領域および第２領域を包含し、上記第１領域は上記針収容開口を取り囲みかつ上記針収容開口と上記第２領域の間を占め、かつ上記第１領域は上記第２領域から後方へ凹入して針露出長さを増すための凹入度を限定する。
【０００７】
本発明のひとつの利点は注射ペンに対して装着可能な針隠蔽アセンブリーが提供されており、そのアセンブリーは使用しない間にペンの針を視界から隠し、かつ使用中に皮膚に接触されたとき引っ込んでペン内に収容されている薬剤を管理するように構成されている。
【０００８】
本発明の針隠蔽アセンブリーの別の利点はキャップが備えられており、このキャップは注射ペンが使用されていないとき引っ込み可能なカバー上にフィットして針刺しのような事故を減すことである。
【０００９】
本発明の針隠蔽アセンブリーの別の利点はそのキャップが引っ込み可能なカバーをその上に装着されるときに引っ込めてキャップの輪郭を最小化しかつペンの外観全体およびペンがもし使用中にユーザーにより運ばれる際の携帯性を改良することである。
【００１０】
本発明の針隠蔽アセンブリーの更に別の利点は使用中に患者に接触する引っ込み可能カバーの面が中央凹部を備えてカバーが引っ込められた位置にあるとき針の全長の露出により針貫通性を増進し、かつアセンブリーのサイズおよび輪郭を最小化することである。
【図面の簡単な説明】
【００１１】
本発明の上述の利点および他の利点、およびそれらを達成する方法は、添付図面に関連した本発明実施例の以下の記述により、より明らかにされ、かつ発明自体もより良く理解されるであろう。
【００１２】
【図１】図１は本発明の針隠蔽アセンブリーの１形態を備えた薬剤注射ペンの前面図である。
【図２】図２は図１の針隠蔽アセンブリー付きの薬剤注射ペンのアウターキャップを取り外した後の前面図である。
【図３】図３は図１の針隠蔽アセンブリーの縦断前面略図で、アセンブリーが装着されている注射ペン部分は概略的に示されている。
【図４】図４は図３の面から４５度オフセットして取られた面における図２の針隠蔽アセンブリーの断面略図であり、アセンブリーが装着している注射ペン部分は概略的に示されている。
【図５】図５は注射針上に装着される前における図１の針隠蔽アセンブリーの分解斜視図である。
【図６】図６は図５の分解された針隠蔽アセンブリーの縦断前面図である。
【図７】図７は図６の針隠蔽アセンブリーの残部から分離して示されたスライド可能カバーの別の断面図である。
【図８】図８は図６の針隠蔽アセンブリーの残部から分離して示されたアセンブリーベースのサドル部分の断面図で、そのサドル部分へカバーがスライド可能に装着される。
【００１３】
対応関連符号は各種図面を通して対応部分を表示している。これらの図面は本発明の１実施例を描写しているが、これらの図面は計測するべきものではなく、かつ幾らかの図面中ではある特徴は本発明のより良い描写および説明のために誇張されまたは省略され得る。
【００１４】
（発明の詳細な説明）
図１は好適な携帯式薬剤注射器に装着された本発明の針隠蔽アセンブリーの典型的な実施例を描写している。概ね２０で表示されている針隠蔽アセンブリーは、各種に形成し得る処分可能および再使用可能の双方に有益な用途を備え、かつここに開示されている注射器の詳細は図示のためでありかつ限定されることを意図されてはいない。
【００１５】
図示されている注射器はペン型注射器具でありかつ再使用可能な後方ベース２４を備え、そのベースに螺合のような方法でカートリッジアセンブリー２６が装着されており、図１および２内では針隠蔽アセンブリー２０により保護的に取り囲まれている。カートリッジアセンブリー２６はユニットとして取り外し可能でありかつその薬剤が使用され尽きると捨てられ、それから新しいカートリジと取り換えられる。処分可能な薬剤カートリッジが搭載されている再使用可能なリテーナーのような他の好適なカートリッジアセンブリーもまた知られている。
【００１６】
更に図３内に示されているように、カートリッジアセンブリー２６はインシュリンまたは人成長ホルモンのような薬剤の複数服用量が充満された内側体積を区画するカートリッジ２８を保持している。このカートリッジアセンブリーは好ましくはカートリッジの内容物の透視を許容するように透明成分で作られている。プランジャーがカートリッジインターナルボリュームの後方開放端部をシールしかつペンの操作中に薬剤をカートリッジから押し出すように前方へスライド可能である。全体的に３０で表示されている注射針アセンブリーは針保持用突出部分３３付きのハブ３２、および針またはカニューラ３４を備えている。図３内に示されているように、ハブ３２をカートリッジアセンブリーに螺合またはスナップフィットなどの手段で注射針アセンブリー３０がカートリッジアセンブリー２６の前方端部に装着された時、針３４の後方チップ３５が隔壁を刺し通し−この隔壁はそうでなければカートリッジインターナルボリュームの前方開放端部をシールしている−従ってカートリッジ内部と連通し、かつ針３４の前方端部３６はペンの注射使用中にはユーザーの皮膚内への挿入のために注射ペンの前方端部から軸方向に突出する。
【００１７】
ペンベース２４の後方端部または先端部における回転可能ボタン４０付きの露出ノブ３８は示されているペンの服用量セッテイングおよび注射機構の他の要素と操作可能に接続されている。ユーザーによりペンが操作されることにより放出されるべき薬物量が選択される服用量セッテイング工程中に、ノブ３８は服用量セットのために回転可能であり、かつノブ３８の選択された服用量を増すためにノブ３８がそのように回されると、ボタン４０は図１内に示されている軸方向位置からペンベース２４の外へ移行する。服用量セッテイング工程の後に起こる服用量注射工程中に、ノブ３８に対して自由に回転するボタン４０に突っ込み力が加えられると、ボタン４０およびノブ３８は左方へシフトされかつ図１内に示されている軸方向位置に戻るように設計されていて、ペンベース内に収容されている注射機構要素を作動させカートリッジプランジャーを前方へスライドさせ薬剤が針３４を通してカートリッジ２８から排出されるように加圧する。
【００１８】
針隠蔽アセンブリー２０はカートリッジアセンブリー２６上にフィットする筒状またはスリーブ形ベース４２を備えている。ベース４２はカートリッジアセンブリー２６の実質的に全長上に延びており、かつ好ましい実施例内においてはペンベース２４内に挿入されていない全てのカートリッジアセンブリー長さをカバーし、これによりカートリッジ２８に損傷に対する余分の保護を提供している。ベース４２の概ね筒状ボデー部分４４はプラスチックのような不透明な材料で作られている。ボデー部分４４は図３および４内に概略示されているようにペンベースハウジング上に備えられた外ねじ４７と４５部分で内側から螺合する後方端部を備えかつそれにカートリッジアセンブリー２６が装着されている。ねじ４５はベース４２がペンに対して軸方向に固着されるように注射ペンに対するアセンブリー２０の直覚的な分解可能な接続を提供している。バヨネットフィッテイングまたはスナップフィットのような他の知られている接続構造も図示のねじの代わりに使用可能である。
【００１９】
１対の長手方向に整列した窓４９がボデー部分４４内の直径位置に配置してありカートリッジの可視性を許容している。製造中において２ショット成形工程を使用してボデー部分４４と組み合わされた挿入部が透明プラスチックで作られかつ窓４９を満たしまたは覆う２部分５２を備えている。部分５２上のマーク５３はユーザーが内蔵カートリッジ内に幾らの薬剤が残されているかを計測するのを助ける。窓カバー部分５２はベースボデー部分４４の内面に形成された通路内にフィットする弓形バー５４により両端で支持されている。
【００２０】
ベース４２のサドル部分４６は針隠蔽アセンブリー２０のスライド可能カバーを装着するための役割を果たしている。サドル部分４６およびボデー部分４４が分離して成形されそれから組み合わせる図示の実施例において、サドル部分４６の環状部分５６の後方領域はボデー部分４４の周縁ノッチ５７内にフィットする。サドル部分４６およびボデー部分４４を固着するために好ましくは超音波溶接が使用されるが、接着のような他の固着形態も使用し得る。代わりの実施例においては、ベース４２が別異形状とされかつ一体に形成または成形され得る。
【００２１】
角度的に隔たりかつ半径方向に突出した一連のリブ５９が環状部分５６の前方領域を取り巻いている。図示の実施例においては、１２０度隔たった３個の円周上に整列したリブ５９が採用されている。キャップの取り外し可能な接続のために好適な異なる形のまたは構造のモジュールがリブ５９の代わりとされ得る。
【００２２】
環状部分５６の前方へ突出しているサドル部分４６領域の外面は部分５６から縮径しておりかつ４個の概ね矩形区域６０および４個の半径方向内方への凹入区域６２を備え、これらの区域はサドル部分の円周周りに連続配置されている。隣接区域６０および凹入区域６２の半径方向外側との間のスペースはカバー７８の停止タブ９４がスライドインする通路を形成している。開口６４が各凹入区域６２の後方端部でサドル部分４６を通して延びてカバーが引っ込められる間に停止タブ９４を収容するように構成されている。
【００２３】
区域６０の前方へ突出している前方縁で、各凹入区域６２は外側へ突出したタング６５を備え、このタングはアセンブリーカバー７８をベース４２に保持するために使用されている。隣接区域６０の直近で凹入区域６２内の長手方向に整列したノッチ６７はカバー７８をサドル部分４６に組み立てる製造初期に弾性的に内方へ僅かに撓み得るタング付きの凹入区域を形成している。
【００２４】
サドル部分４６の開口から内方へ隔たっているのは針通路のための中央開口７２を形成する環状肩部７０である。肩部７０の段部はリング形溝７４を形成し、その溝内には圧縮ばね１００の後方端部が着座している。
【００２５】
プラスチック製の引っ込め得る針隠蔽カバー７８はサドル部分４６に対してスライド可能に装着されている。カバー７８は筒状メインボデー８０を備え、このメインボデーは湾曲しているが概ね裁頭円錐形の外面を有している。メインボデー８０から内方へ延びるカバー７８の前方端面は環状平坦アウター領域８２および環状インナー領域８４を備えている。インナー領域８４はカバー７８が固定針露出のために後方へスライドされた時の針通路のための中央開口８６を限定している。アウター領域８２は使用中にユーザーの表皮と衝合するように設計されている。好ましい実施例においては、開口８６は約０．１７０インチの直径を持ち、かつインナー領域８４は約０．３９０インチの外径を備えている。アウター領域８２は約０．６６３インチの外径を持ち、かつ従って半径方向寸法は約０．１３６インチとなり、このアウター領域は皮膚に対する心地よい負荷分布を提供する。
【００２６】
アウター領域８２を通る角度的に隔たった一連の孔８８はサドル部分タング６５の挿入を許容している。孔８８内へのタング６５の挿入はカバーの全体的外形または直径の好ましくない増加をさせることなく筒状ベース４２上へのカバー７８の後方への一杯の動きを許容している。これらの孔はまた成形を容易にしている。
【００２７】
インナー領域８４は後方へ凹入または凹状であり、好ましくは約０．２８１インチの曲率半径のような図示の概ね半球状であるが、本発明の範囲内の代わりの他の形であってもよい。インナー領域８４は凹入度は好ましくは約０．０６５インチの深さを備えてカバーが一杯に引っ込められた時における針の露出を増す。カバー７８の前方端面の後面内のリング形溝９０は圧縮ばね１００の前方端部のためのシートを提供している。
【００２８】
筒状メインボデー８０の概ね筒状の内面は４個の領域９２を備え、これらの領域は９０度離れておりかつ僅かに半径方向内方へ突出している。各領域９２のベースにあるのは更に半径方向内方へ突出している停止タブ９４である。停止タブ９４の半径方向に整列した前方リップ９６はタング６５のための停止衝合面として機能し、組み立てられた時にサドル部分４６からのカバー７８の前方軸方向移動を阻止している。各停止タブ９４のベースは９８で傾斜されておりカバー７８が一杯に引っ込まれた時カートリッジアセンブリーのために間隙を提供している。カバー７８はサドル部分４６周りの回転が阻止されており、かつ停止タブ９４の側部が区域６０の側部と係合することにより、設計誤差がなければ全く相対的に回転しない。
【００２９】
カバー７８をサドル部分４６に対して前方へシフトさせる付勢要素は好ましくは金属製の螺旋状圧縮ばね１００である。ばね１００は溝９０内に着座する前方端部１０１、および肩部溝７４内に着座する後方端部１０２を備えている。好適な付勢効果を提供する他のばね構造、および構造の他の材料も代わりの実施例内で交換可能である。
【００３０】
好ましい針隠蔽アセンブリー２０のアウターカバーまたはキャップ１０６は盲の内側中空部１１２を区画している閉塞端部１１０付きのテーパー付き筒状ボデー１０８を備えている。キャップ１０６はプラスチックで成形されていてベース４２へのスナップフィット装着のための好適な弾性を有する軽量部分を提供している。キャップ１０６の後方端部１１６近傍のボデー１０８の内側面内の円周溝１１４はキャップ１０６を筒状ベース４２に取り外し可能に装着するために使用される。図示の実施例においては、キャップ１０６が図２内に示されている位置から後方へ動かされてキャップ１０６がサドル部分４６上にスナップロックする時リブ５９が溝１１４内に入る。キャップ１０６の筒状ベース４２からの取外しは単にこれらの要素を離すように引くことにより達成される。
【００３１】
４個の等角配置されかつ長手方向に整列されている一連のリブ１１８がボデー１０８の内面から中空部１１２の前方端部内に突出している。内側中空部１１２はカバーメインボデー８０を僅かな隙間で収容するようにサイズと形状が定められている。各リブ１１８の後面１１９はキャップ１０６がカバー７８上に配置されかつそれからアセンブリーベース４２への接続中に後方へ押される時カバー領域８２が衝合する停止面を提供している。リブ１１８は好ましくはキャップ１９６がサドル部分４６に接続された時、カバー７８が引っ込められてタング６５がアウター領域孔８８内に入るように配置されている。代わりの実施例において、キャップ装着中にカバー７８を後方へ動かすために、キャップ１０６の内側は、充分なテーパーが付けられてカバーメインボデー８０の横面に摩擦係合するような、別異の構造とされ得る。
【００３２】
本発明の針隠蔽アセンブリーは動作形態の以下の説明に鑑み更に理解され、その説明は図１内に示されているように構成された注射ペンから始められるであろう。この点において、針隠蔽アセンブリー２０はベース４２が注射ペン上にねじにより既に一体に装着されており、針付きの端部はベースを通して既に装着されている。装着中の針隠蔽アセンブリー２０上にキャップ１０６があることは露出したスライド可能なカバーの不注意な引っ込みに協動する偶然の針刺し事故の可能性を制限する。
【００３３】
使用のために注射器を準備するには、キャップ１０６はサドル部分４６から切り離すために引かれる。キャップ１０６が図２内に示されている配置へ引かれる間に、ばね１００はカバー７８を引っ込められた位置から前方へスライドするように加圧し、停止タブ９４のリップ９６がタング６５の下側へ衝合するまでスライドし、その前方位置でカバー７８の動きは停止される。この接続状態で、アセンブリー２０は図２および４内に示されているように配置されかつ針を視界から隠し、前方針端部３６はカバー７８により取り囲まれてそのチップはインナー領域８４により形成された窪みの前方位置を占める。
【００３４】
注射器はそれから注射使用のために準備完了となる。注射器は端面アウター領域８２がユーザーの皮膚の注射場所の直近周りに接触する。ユーザーが注射器を加圧しかつそれによりその固定針を注射場所へ向けて下げるにつれて、カバー７８はばね１００により起こされる戻し力に抗してサドル部分４６に沿ってスライドし始める。この工程が継続しかつカバー７８が引き続き引っ込むと、針チップ３６は開口８６を通過しかつユーザーの皮膚を貫通し、これらの全てはユーザーにより見られることはない。カバー７８の前方面の窪みはユーザーのしわを取り易く従ってカバーの引っ込み中に皮膚は面の凹入部内に入り、このしわ取りは針貫通のために注射場所における安定性を提供する。針による貫通深さは面６０の前方端部が端面アウター領域８２の下側に衝合するまで増加し続ける。その時に、好ましくはハブ部分３３の前方の針３４の全てが開口８６を通して延びてユーザーの針のフル貫通を許容する。代わりの実施例においては、カバーボデー８０の後端面のようなカバーの異なる部分がサドル部分の異なる部分に衝合して動きを止め得る。針挿入の終わりに、停止タブ９４は開口６４内に収容されかつタング６５は孔８８内に延びる。
【００３５】
注射器が操作されてユーザーにより予め選択された量の薬剤が注射されると、注射器は針をユーザーの皮膚から引き抜くために引き戻される。このフルバック期間中、ばね１００はカバー７８を前方へ付勢してその端面をユーザーの皮膚と接触状態に保ち、かつ針３４を隠し続ける。注射器が一杯に引き戻されかつカバー７８が前方へ動かされてタング６５が停止タブ９４に係合すると、アセンブリー２０は再び図２および４内に示されているように配置される。
【００３６】
注射器を次の使用のために保管するためには、キャップ１０６が好ましくは針隠蔽アセンブリー２０の残部に対して装着される。カバー７８が内側中空部１１２の口内に最初から挿入されるようにキャップ１００が操作された後に、キャップおよび注射器の更なる動きはカバー７８がサドル部分４６に対してスライド移動することなくカバー７８を中空部１１２内へ更に貫通させる。端面アウター領域８２がリブ面１１９に衝合するようにカバー７８が一杯に挿入されると、キャップおよび注射器の更なる動きは針カバー７８をばね１００の圧縮により提供される増加した抵抗に抗してサドル部分４６に対して後方へシフトさせる。キャップの動きは溝１１４がリブ５９に整列してキャップ１０６がベース４２にスナップ接続するまで継続する。その点において、針隠蔽アセンブリー２０は図３内に示されているように配置され、そこで針３４はカバー７８の前方へ突出しているがキャップ１０６により囲まれまたは完全に隠されている。針隠蔽アセンブリー２０の構成要素は、注射器の外形を制限するためにキャップ１０６内に保管される場合は、カバー７８が少なくとも部分的に引っ込められ、かつ好ましくは可能な限り完全に引っ込められるようにサイズおよび構造が定められている。
【００３７】
本発明は好ましい構造を有するものとして示されかつ描写されてきたが、本発明は開示の精神および範囲内で変更され得る。この出願は、従って、一般的原則を使用した発明の変形、用途または適用の何れをもカバーすることを意図している。更に、この出願は本開示から出発した当業界内の一般に知られていることまたは慣例をもカバーすることを意図している。
【国際公開パンフレット】
2004528939.tif 000003
2004528939.tif 000004
2004528939.tif 000005
2004528939.tif 000006
2004528939.tif 000007
2004528939.tif 000008
2004528939.tif 000009
2004528939.tif 000010
2004528939.tif 000011
2004528939.tif 000012
2004528939.tif 000013
2004528939.tif 000014
2004528939.tif 000015
2004528939.tif 000016
2004528939.tif 000017
2004528939.tif 000018
2004528939.tif 000019
2004528939.tif 000020
2004528939.tif 000021
2004528939.tif 000022
2004528939.tif 000023
2004528939.tif 000024
2004528939.tif 000025
【国際公開パンフレット（コレクトバージョン）】
2004528939.tif 000026
2004528939.tif 000027
【国際調査報告】
2004528939.tif 000028
2004528939.tif 000029
2004528939.tif 000030
2004528939.tif 000031
2004528939.tif 000032